(57)【特許請求の範囲】
【請求項１】
ＪＩＳで規格化された大角形連用配線器具用の取付枠に取り付け可能な調光器であって、
照明負荷の光出力を設定する設定部と、設定部の設定に応じて照明負荷の光出力を調節する調光回路と、少なくとも調光回路を構成する部品が収納された器体と、前記器体の前面から一部が露出し前記設定部を操作するつまみとを備え、前記器体の寸法は、前記取付枠の取付窓から器体の前面が露出する形で前記取付枠に最大３個まで連設して取り付けることができる単位寸法の配線器具の１個分に相当する寸法に形成され、前記器体は箱状であって、前面開口したボディとボディの前面側に結合される後面開口したカバーとからなり、カバーの短手方向の両側壁の後縁から後方に向かって延設した組立片に設けた組立孔とボディの短手方向の両側面に突設した組立突起との凹凸係合によりボディとカバーとが結合され、カバーには、前記取付枠に取り付けるための取付部が形成され、
前記調光回路が交流電源と前記照明負荷との間に挿入される双方向性３端子サイリスタを備え、少なくとも前記双方向性３端子サイリスタが実装された第１のプリント配線板と、少なくとも前記設定部が実装された第２のプリント配線板とを備え、前記第２のプリント配線板と前記第１のプリント配線板とは前記器体内において前後方向に離間して配設され、前記第１のプリント配線板よりも前方に配設される前記第２のプリント配線板は、前後方向において前記第１のプリント配線板に重複する部位の一部に切欠部が形成され、
前記双方向性３端子サイリスタは、前記第１のプリント配線板に立設されるとともに固定ねじにより放熱板が固着され、前記放熱板は、前記切欠部を通して前記カバーの内部空間まで延長されてなることを特徴とする調光器。
【請求項２】
前記ボディの前縁と前記カバーの後縁との一方に逆組防止用凸部が突設され他方に逆組防止用凸部に合致する逆組防止用凹部が形成され、前記逆組防止用凸部および前記逆組防止用凹部それぞれは前記器体の長手方向を左右方向とするとき左右非対称に形成されてなることを特徴とする請求項１記載の調光器。
【請求項３】
前記調光回路は、交流電源と前記照明負荷との間に挿入される双方向性３端子サイリスタと、前記交流電源と前記照明負荷との直列回路と前記双方向性３端子サイリスタとの間に挿入される電源スイッチとを備え、前記つまみは、前記カバーの後面に摺接する鍔片と、該鍔片から突設され前記照明負荷への供給電力を最小にするように前記設定部を操作したときに電源スイッチをオフに操作するオフ操作部とを備え、前記オフ操作部の前面には、位置決め溝が形成され、カバーの後面側には、前記電源スイッチがオフとなる位置まで前記つまみが操作されたときに前記位置決め溝に係脱自在に係合する係合突起が突設されてなることを特徴とする請求項１または請求項２記載の調光器。
【請求項４】
前記ボディの内部空間は、器体の長手方向において、一対の端子が収納される端子収納室と、前記調光回路の構成部品の一部が収納される回路収納室とに区画され、前記各端子は、ボディにおける回路収納室の後壁に設けた電線挿入口から挿入された電線が当接する端子板と、端子板との間に前記電線を保持する鎖錠ばねと、電線の引き抜き時に鎖錠ばねによる電線の保持力を弱めるための解除釦とからなり、前記ボディは、前記器体の長手方向を左右方向として前記器体を上下に関する正規の取り付け方向で前記取付枠に取り付けられたときに当該ボディの後面において左側となる部位に、前記電線挿入口が設けられてなることを特徴とする請求項１ないし請求項３のいずれかに記載の調光器。
【請求項５】
前記ボディの内部空間は、器体の長手方向において、一対の端子が収納される端子収納室と、前記調光回路の構成部品の一部が収納される回路収納室とに区画され、前記回路収納室が前記端子収納室よりも深く形成され、前記放熱板の一部が、前記回路収納室の周壁のうち前記回路収納室の後壁と前記端子収納室の後壁とを連続一体に連結する部位に沿って配設されてなることを特徴とする請求項１記載の調光器。
【請求項６】
前記調光回路は交流電源と前記照明負荷との間に挿入される双方向性３端子サイリスタを備え、前記放熱板は、Ｌ字状に形成され、前記ボディの短手方向の一側壁に沿って配設され前記双方向性３端子サイリスタが固着される固定片と、前記回路収納室の周壁のうち前記回路収納室の後壁と前記端子収納室の後壁とを連続一体に連結する部位に沿って配設される放熱片とからなることを特徴とする請求項５記載の調光器。
【発明の詳細な説明】
【０００１】
【発明の属する技術分野】
本発明は、照明負荷の光出力を調節する調光器に関するものである。
【０００２】
【従来の技術】
従来より、商用電源のような交流電源と照明負荷との間に挿入される双方向性３端子サイリスタ（以下、トライアックという）を備え、トライアックを位相制御することにより照明負荷への供給電力を制御し、照明負荷の光出力の調節を可能とした調光器が提供されている。
【０００３】
この種の調光器としては、図２６ないし図２９に示す構成のものが提供されている。この調光器の器体１’は箱状であって、ともに合成樹脂成形品である前面開口したボディ１０’と、ボディ１０’の前面側に結合される後面開口したカバー２０’とを金属製の組立枠１００を用いて結合してある。器体１’の短手方向の寸法は、大角形連用配線器具用の取付枠（ＪＩＳ  Ｃ  ８３７５参照）と称する埋込型の配線器具の施工時に用いる取付枠（金属製取付枠、合成樹脂製取付枠）に３個まで取着可能な寸法に形成してある。つまり、調光器の器体１の短手方向の寸法は上記取付枠の取付窓の長手方向の寸法の略３分の１の寸法になる。この寸法を大角連用形の配線器具と同様に、「１個モジュール寸法」と呼ぶ。
【０００４】
カバー２０’は、長手方向の中央部に形成された突台２３’と、突台２３’の両側にそれぞれ形成された肩部２２’，２２’とで構成されている。
【０００５】
組立枠１００は、図３０に示すように、一対の枠片１００ａ，１００ａの左端部同士および右端部同士をそれぞれ側片１００ｂ，１００ｂで連続一体に結合することによって、カバー２０’の突台２３’の前面を露出させる長方形状の開口窓１０２を中央部に備えた横長の矩形枠状に形成されている。ここに、各側片１００ｂ，１００ｂの後面はそれぞれカバー２０’の肩部２２’、２２’の前面に当接する。組立枠１００の各側片１００ｂそれぞれの側縁には、合成樹脂製取付枠に設けられた器具取付用の保持孔に係止可能な取付爪１０５が２つずつ突設されている。また、各側片１００ｂの開口窓１０２に臨む内側縁からは、突台２３’の長手方向の両側面に当接する当接片１０３が前方に向かって突設され、各当接片１０３には金属製取付枠に設けられた器具取付用の保持爪が係合可能な保持孔１０４が形成されている。組立枠１００の各枠片１００ａ，１００ａの側縁からは組立片１０１が延設され、組立片１０１には、ボディ１０’の短手方向の両側面に形成してある組立突起１１’に係合可能な組立孔１０１ａが形成されている。要するに、ボディ１０’の前縁とカバー２０’の後縁とを当接させた状態で組立枠１００の組立片１０１を折曲して、組立片１０１に設けた組立孔１０１ａをボディ１０の組立突起１１’に係合させることによりボディ１０’とカバー２０’とが結合されている。
【０００６】
ボディ１０’の内部空間は図２７に示すように長手方向において２室に区画され、左側の区画は端子が収納される端子収納室１３’となり、右側の区画はトライアックＱ１などが収納される回路収納室１４’となっている。ここに、回路収納室１４’は端子収納室１３’よりも深く形成されている。なお、端子収納室１３’と回路収納室１４’とは仕切壁１２’により区切られている。
【０００７】
端子収納室１３’には、端子板１５’と、器体１’の後壁に形成された電線挿入口１３ａ’を通して器体１’に挿入された電線を端子板１５’との間に保持する鎖錠ばね１６’とが２個ずつ収納され、２個の鎖錠ばね１６’に跨って１個の解除釦（図示せず）が収納されている。ここに、電線挿入口１３ａ’は２つ形成されている。また、端子板１５’と鎖錠ばね１６’と解除釦とでいわゆる速結端子を構成している。
【０００８】
回路収納室１４’には、上述のトライアックＱ１などが実装された第１のプリント配線板４１’が収納され、回転式の可変抵抗ＶＲ、電源スイッチとしてのマイクロスイッチＳＷなどが前面に実装された第２のプリント配線板４２’により前面開口を塞いである。第１のプリント配線板４１’と第２のプリント配線板４２’とは複数本のリード線（図示せず）により接続されている。第１のプリント配線板４１’は、仕切壁１２’に沿って配設され、第２のプリント配線板４２’は、回路収納室１４’の前面開口を塞ぐように配設されている。つまり、第１のプリント配線板４１’と第２のプリント配線板４２’とは略直交する形で配設されている。トライアックＱ１は、Ｌ字状の放熱板３０’が固着された状態で第１のプリント配線板４１’に実装されている。放熱板３０’は、トライアックＱ１が固着された固定片３１’がボディ１０’の回路収納室１４’の後壁に沿って配設され、固定片３１’の一端部から曲成された放熱片３２’がボディ１０’の長手方向の一側壁に沿って配設されている。
【０００９】
なお、上述の調光器において放熱性を向上させるためにボディ１０’に複数のスリットを貫設したものも提案されている。
【００１０】
ところで、カバー２０’は、突台２３’の略中央に、図３１に示すように円形状の開口窓２６’が形成されており、可変抵抗ＶＲを操作するためのつまみ６０’の一部が前面から露出している。つまみ６０’は、図３２に示すような有底円筒状に形成されており、可変抵抗ＶＲの操作軸５０が挿入嵌合されている。
【００１１】
つまみ６０’は、器体１’内に位置する後部に鍔片６２’が突設され、可変抵抗ＶＲの操作軸５０を回転させて照明負荷の光出力をほぼ最小としたときにマイクロスイッチＳＷのレバー５３に当接してマイクロスイッチＳＷをオフにするオフ操作部６３’が鍔片６２’の後面から突設されている。また、カバー２０’の突台２３’の後面には、つまみ６０’の回転範囲を規制するための回転範囲規制リブ２０ｄ’（図３１（ｃ）参照）が突設されており、つまみ６０’の鍔片６２’の前面には、マイクロスイッチＳＷがオフとなる位置までつまみ６０’が操作されたときに回転範囲規制リブ２０ｄ’に当接する位置決めリブ６５’が突設されている。
【００１２】
【発明が解決しようとする課題】
ところで、上記従来の調光器は、ボディ１０’とカバー２０’とを結合するために図３０に示すような組立枠１００を必要とし、組立枠１００の構造が複雑であり、組立作業性が悪いとともに部品点数が増えて低コスト化が難しいという不具合があった。
【００１３】
本発明は上記事由に鑑みて為されたものであり、その目的は、組立作業が容易で低コスト化が可能な調光器を提供することにある。
【００１４】
【課題を解決するための手段】
請求項１の発明は、上記目的を達成するために、ＪＩＳで規格化された大角形連用配線器具用の取付枠に取り付け可能な調光器であって、照明負荷の光出力を設定する設定部と、設定部の設定に応じて照明負荷の光出力を調節する調光回路と、少なくとも調光回路を構成する部品が収納された器体と、前記器体の前面から一部が露出し前記設定部を操作するつまみとを備え、前記器体の寸法は、前記取付枠の取付窓から器体の前面が露出する形で前記取付枠に最大３個まで連設して取り付けることができる単位寸法の配線器具の１個分に相当する寸法に形成され、前記器体は箱状であって、前面開口したボディとボディの前面側に結合される後面開口したカバーとからなり、カバーの短手方向の両側壁の後縁から後方に向かって延設した組立片に設けた組立孔とボディの短手方向の両側面に突設した組立突起との凹凸係合によりボディとカバーとが結合され、カバーには、前記取付枠に取り付けるための取付部が形成され、前記調光回路が交流電源と前記照明負荷との間に挿入される双方向性３端子サイリスタを備え、少なくとも前記双方向性３端子サイリスタが実装された第１のプリント配線板と、少なくとも前記設定部が実装された第２のプリント配線板とを備え、前記第２のプリント配線板と前記第１のプリント配線板とは前記器体内において前後方向に離間して配設され、前記第１のプリント配線板よりも前方に配設される前記第２のプリント配線板は、前後方向において前記第１のプリント配線板に重複する部位の一部に切欠部が形成され、前記双方向性３端子サイリスタは、前記第１のプリント配線板に立設されるとともに固定ねじにより放熱板が固着され、前記放熱板は、前記切欠部を通して前記カバーの内部空間まで延長されてなることを特徴とするものであり、コンセントやスイッチなどの埋込型の配線器具と同じ施工方法で施工することができ施工作業が容易になるとともに、コンセントやスイッチなどの埋込型の配線器具と連設することができ、また、ボディとカバーとを従来のような金属製の組立枠を用いずに簡単に結合することができるので、部品点数が削減され、組立作業の容易になるとともに低コスト化を図ることができる。また、前記双方向性３端子サイリスタの発熱によりボディの内部空間の温度が上昇すると、前記ボディの内部空間と前記カバーの内部空間との間で前記切欠部を通した空気対流が起こるから、従来のようにボディにスリットを設けることなしに放熱効果を向上させることができる。さらに、放熱板が切欠部を通してカバーの内部空間まで延長されているので、器体内の空気対流を促進することができ、放熱性をより向上させることができる。
【００１５】
請求項２の発明は、請求項１の発明において、前記ボディの前縁と前記カバーの後縁との一方に逆組防止用凸部が突設され他方に逆組防止用凸部に合致する逆組防止用凹部が形成され、前記逆組防止用凸部および前記逆組防止用凹部それぞれは前記器体の長手方向を左右方向とするとき左右非対称に形成されているので、組立時にボディとカバーとの逆組を防止することができる。
【００１６】
請求項３の発明は、請求項１または請求項２の発明において、前記調光回路は、交流電源と前記照明負荷との間に挿入される双方向性３端子サイリスタと、前記交流電源と前記照明負荷との直列回路と前記双方向性３端子サイリスタとの間に挿入される電源スイッチとを備え、前記つまみは、前記カバーの後面に摺接する鍔片と、該鍔片から突設され前記照明負荷への供給電力を最小にするように前記設定部を操作したときに電源スイッチをオフに操作するオフ操作部とを備え、前記オフ操作部の前面には、位置決め溝が形成され、カバーの後面側には、前記電源スイッチがオフとなる位置まで前記つまみが操作されたときに前記位置決め溝に係脱自在に係合する係合突起が突設されているので、前記つまみを操作することにより電源スイッチを連動させて操作することができ、一つのつまみで設定部と電源スイッチとの両方を操作することができ、操作が容易になり、しかも、電源スイッチがオフとなる位置までつまみを操作したときには、係合突起と位置決め溝とが係合するから、クリック感を得ることができ、照明負荷の消し忘れを防止することができる。
【００１７】
請求項４の発明は、請求項１ないし請求項３の発明において、前記ボディの内部空間は、器体の長手方向において、一対の端子が収納される端子収納室と、前記調光回路の構成部品の一部が収納される回路収納室とに区画され、前記各端子は、ボディにおける回路収納室の後壁に設けた電線挿入口から挿入された電線が当接する端子板と、端子板との間に前記電線を保持する鎖錠ばねと、電線の引き抜き時に鎖錠ばねによる電線の保持力を弱めるための解除釦とからなり、前記ボディは、前記器体の長手方向を左右方向として前記器体を上下に関する正規の取り付け方向で前記取付枠に取り付けられたときに当該ボディの後面において左側となる部位に、前記電線挿入口が設けられているので、コンセントやスイッチなどの埋込型の配線器具と連設する場合に、これらの配線器具の器体では後面における左側の部位に送り端子用の電線挿入口が形成されていることが多いから、送り配線がしやすくなるとともに、送り配線用の電線の長さを短くすることができ、取付枠を埋め込みボックスに取り付けたときに埋め込みボックス内に電線をすっきりと収めることができる。
【００２０】
請求項５の発明は、請求項１の発明において、前記ボディの内部空間は、器体の長手方向において、一対の端子が収納される端子収納室と、前記調光回路の構成部品の一部が収納される回路収納室とに区画され、前記回路収納室が前記端子収納室よりも深く形成され、前記放熱板の一部が、前記回路収納室の周壁のうち前記回路収納室の後壁と前記端子収納室の後壁とを連続一体に連結する部位に沿って配設されているので、コンセントやスイッチなどの埋込型の配線器具と連設した場合でも、前記回路収納室の周壁のうち前記回路収納室の後壁と前記端子収納室の後壁とを連続一体に連結する部位は連設された配線器具により塞がれることがないから、前記双方向性３端子サイリスタで発生した熱を当該部位を通して放熱させることができる。
【００２１】
請求項６の発明は、請求項５の発明において、前記調光回路は交流電源と前記照明負荷との間に挿入される双方向性３端子サイリスタを備え、前記放熱板は、Ｌ字状に形成され、前記ボディの短手方向の一側壁に沿って配設され前記双方向性３端子サイリスタが固着される固定片と、前記回路収納室の周壁のうち前記回路収納室の後壁と前記端子収納室の後壁とを連続一体に連結する部位に沿って配設される放熱片とからなるので、放熱性が向上する。
【００２２】
【発明の実施の形態】
本実施形態の調光器を図１乃至図１６を参照しながら説明する。双方向性３端子サイリスタ（以下、トライアックという）を備え、トライアックを位相制御することにより照明負荷への供給電力を制御し、照明負荷の光出力の調節を可能とした
本実施形態の調光器は、器体１の前面から露出するつまみ６０を操作することで器体１内に収納されたトライアックＱ１を位相制御することにより照明負荷Ｌａ（図１６参照）への供給電力を制御し、照明負荷Ｌａの光出力を調節するものである。
【００２３】
器体１は箱状であって、合成樹脂製（例えば、メラミンフェノール樹脂のような熱硬化性樹脂製）の前面開口したボディ１０と、ボディ１０の前面側に結合される後面開口した合成樹脂製のカバー２０（例えばＰＣ−ＡＢＳ樹脂のような熱可塑性樹脂製）とにより形成される。カバー２０の短手方向の両側壁の後縁からは後方に向かってそれぞれ２つ組立片２１が延設され、組立片２１に設けた組立孔２１ａがボディ１０の短手方向の両側面に２つずつ形成してある組立突起１１にそれぞれ係合することによりボディ１０とカバー２０とが結合される。組立突起１１にはボディ１０からの突出寸法をカバー２０に近い側ほど小さくする誘導面１１ａが形成され、カバー２０をボディ１０に近づけるように力を作用させるだけで組立片２１が誘導面１１ａに沿って撓み、組立片２１が組立突起１１に簡単に結合されるようにしてある。すなわち、カバー２０とボディ１０とは組立片２１に設けた組立孔２１ａと組立突起１１との凹凸係合により結合されるようになっている。ここに、組立片２１と組立突起１１との組は４組設けられているので、カバー２０とボディ１０とは４箇所で結合されることになる。
【００２４】
したがって、カバー２０とボディ１０とを従来のような組立枠１００（図３０参照）を用いずに簡単に結合することができる。また、従来の調光器では、図２９に示すようにボディ１０’の短手方向の両側面に金属製の組立枠１００の組立片１０１に設けた組立孔１０１ａに係合する組立突起１１’を突設していたが、組立片１０１を折曲することにより組立孔１０１ａと組立突起１１’とを凹凸係合させる必要があるので、ボディ１０’の両側面からの組立突起１１’の突出寸法を比較的大きくする必要があり、組立突起１１’の突出寸法の分だけ回路収納室１４’（図２７参照）の内部空間が狭くなっていた。
【００２５】
これに対し、本実施形態の調光器では、上述のように、カバー２０をボディ１０に近づけるように力を作用させるだけで組立片２１が誘導面１１ａに沿って撓み、組立片２１が組立突起１１に簡単に結合されるようにしてあるので、ボディ１０の両側面に設けた組立突起１１の突出寸法を従来の調光器の組立突起１１’の突出寸法に比べて小さくすることができるので、回路収納室１４の内部空間を上述の従来の調光器に比べて広くとれ、放熱性を向上させることができる。なお、図１（ａ）における上下方向を上下方向、図１（ａ）における左右方向を左右方向とすると、組立片２１はカバー２０の左右両端部における上下にそれぞれ設けられていることになる。
【００２６】
カバー２０の短手方向の両側壁の後縁における２つの組立片２１の間の部位からは後方に向かって逆組防止用凸部２０ａ（図１（ｂ）および図６参照）が延設されており、ボディ１０の短手方向の両側壁の前縁に設けた逆組防止用凹部１０ａ（図１（ａ）および図１０参照）に嵌合することにより、ボディ１０に対するカバー２０のがたつきを防止できるとともに、落下などに対する耐衝撃性を高めることができる。ここに、逆組防止用凸部２０ａの長手方向における中央は当該逆組防止用凸部２０ａが延設された側壁の後縁の長手方向における中央よりも左側にずらしてある。また、逆組防止用凹部１０ａの長手方向における中央は当該逆組防止用凹部１０ａが形成された側壁の前縁の長手方向における中央よりも左側にずらしてある。したがって、ボディ１０へカバー２０を結合する際の逆組みを防止することができる。なお、本実施形態では、カバー２０の後縁に逆組防止用凸部２０ａが突設され、ボディ１０の前縁に逆組防止用凸部２０ａに合致する逆組防止用凹部１０ａが形成され、逆組防止用凸部２０ａおよび逆組防止用凹部１０ａそれぞれが、器体１の長手方向を左右方向とするとき左右非対称に形成されているが、ボディ１０の前縁に逆組防止用凸部を突設してカバー２０の後縁に逆組防止用凸部に合致する逆組防止用凹部を形成してもよい。
【００２７】
器体１の寸法は、大角形連用配線器具用の取付枠（ＪＩＳ  Ｃ  ８３７５参照）と称する埋込型の配線器具の施工時に用いる取付枠（金属製取付枠、合成樹脂製取付枠）に３個まで取着可能な単位寸法に形成してある。すなわち、器体１の短手方向の寸法は、上記埋込型の配線器具の施工時に用いる取付枠（金属製取付枠、合成樹脂製取付枠）に３個まで取着可能な寸法に形成してある。つまり、本実施形態の調光器の器体１の短手方向の寸法は上記取付枠の取付窓の長手方向の寸法の略３分の１の寸法になる。この寸法を大角連用形の配線器具と同様に、「１個モジュール寸法」と呼ぶ。
【００２８】
カバー２０は、長手方向の中央部に形成された突台２３と、突台２３の両側にそれぞれ形成された肩部２２，２２とで構成され、突台２３の両側面には、図１７に示す金属製取付枠７０の取付窓７０ａを囲む部位に設けた保持爪７８ａ，７８ｂ（固着用つめ部）が係合可能な係止孔（固着用係止部）２４が形成され、各肩部２２，２２の側面には、図１８および図１９に示す合成樹脂製取付枠８０の取付窓８０ａを囲む部位に設けた保持孔８８ａ，８８ｂに係合可能な取付爪２５がそれぞれ一対ずつ突設してある。
【００２９】
金属製取付枠７０は、図１７に示すように、一対の枠片７１ａ，７１ｂの上端部同士および下端部同士をそれぞれ横片７２，７２で連続一体に結合することによって、器体１の前面（突台２３の前面）を露出させる長方形状の取付窓７０ａを中央部に備えた縦長の矩形枠状に形成されている。金属製取付枠７０の各横片７２には、壁面などの造営面に埋込配置された埋め込みボックスに取り付けるためのねじが挿通されるボックス用孔７３と、壁面などの造営面に直付けするためのねじが挿通されるねじ挿通孔７４と、化粧プレートを取り付けるためのプレートねじが螺着されるプレートねじ孔７６とが設けてある。また、各横片７２には、造営面を形成する壁パネルなどに取り付ける際に使用するはさみ金具を係止するはさみ金具係止孔７５が設けてある。取付窓７０ａの長手方向に沿った両枠片７１ａ，７１ｂには、カバー２０の突台２３の両側面に設けられた係止孔２４，２４と係合する保持爪７８ａ，７８ｂがそれぞれ設けてある。このうち一方の枠片７１ｂにおいては、上記保持爪７８ｂを幅細の支持片７９，７９で両側から支持するようにしてある。すなわち、器体１を金属製取付枠７０に取り付ける際には、他方の枠片７１ａの保持爪７８ａを先に器体１の係止孔２４に係合させ、マイナスドライバなどの工具を使って上記一方の枠片７１ｂの保持爪７８ｂを器体１の係止孔２４に係合させることにより、器体１を金属製取付枠７０に取り付けるようになっている。なお、金属製取付枠７０には器体１を長手方向に直交する方向に３個並べて取り付けることができるように、一対の保持爪７８ａ，７８ｂを３組設けてある。
【００３０】
合成樹脂製取付枠８０は、絶縁性を有し、図１８および図１９に示すように、一対の枠片８１ａ，８１ｂの上端部同士および下端部同士をそれぞれ横片８２，８２で連続一体に結合することによって、器体１の前面（突台２３の前面）を露出させる長方形状の取付窓８０ａを中央部に備えた縦長の矩形枠状に形成されている。合成樹脂製取付枠８０の各横片８２には、壁面などの造営面に埋込配置された埋め込みボックスに取り付けるためのねじが挿通されるボックス用孔８３と、壁面などの造営面に直付けするためのねじが挿通されるねじ挿通孔８４と、化粧プレートを取り付けるためのプレートねじが螺着されるプレートねじ孔８６とが設けてある。また、各横片８２には、造営面を形成する壁パネルなどに取り付ける際に使用するはさみ金具を係止するはさみ金具係止孔８５が設けてある。取付窓８０ａの長手方向に沿った両枠片８１ａ，８１ｂに、それぞれ器体１の両側面に各一対ずつ突設された取付爪２５が係合する保持孔８８ａ，８８ｂを有し、一方の枠片８１ｂには他方の枠片８１ａとの距離を変えるように撓むことができる操作片８７が形成される。合成樹脂製取付枠８０に器体１を取り付けるときには、合成樹脂製取付枠８０の後方から器体１を合成樹脂製取付枠８０に押し付けるようにすれば操作片８７が撓んで、突台２３の前面を取付窓８０ａから露出させた形で合成樹脂製取付枠８０に器体１を取着することができる。一方、合成樹脂製取付枠８０から器体１を取り外すには、操作片８７をマイナスドライバなどの先端部でこじればよい。なお、化粧プレートには、器体１の突台２３を露出させる窓孔が形成されている。
【００３１】
要するに、カバー２０には、金属製取付枠７０に取り付けるための係止孔２４と合成樹脂製取付枠８０に取り付けるための取付爪２５とが形成されている。しかも、カバー２０の短手方向の両側壁の後縁から後方に向かって突設された合計４つの組立片２１にそれぞれ設けた組立孔２１ａがボディ１０の短手方向の両側面に形成してある合計４つの組立突起１１にそれぞれ係合することによりボディ１０とカバー２０とが結合されるので、従来のような金属製の組立枠１００が不要であり、部品点数を削減できるとともに組立作業が容易になり、コンセントやスイッチなどの埋込型の配線器具と同じ施工方法で施工することができ施工作業が容易になるとともに、コンセントやスイッチなどの埋込型の配線器具と連接することができる。しかも、４箇所で組立片２１の組立孔２１ａに組立突起１１が係合しているので、カバー２０のボディ１０に対する結合強度を向上させることができる。
【００３２】
ボディ１０の内部空間は長手方向において２室に区画され、図２における右側の区画は端子が収納される端子収納室１３となり、左側の区画は回路収納室１４となっている。ここに、端子収納室１３と回路収納室１４とは、ボディ１０の長手方向の中間部に設けた仕切壁１２により分けられている。なお、仕切壁１２は、ボディ１０の右側壁よりもボディ１０の後壁からの突出寸法がやや小さく設定されている。
【００３３】
端子収納室１３には、２個の端子板１５（図２参照）と２個の鎖錠ばね１６（図２参照）と解除釦（図示せず）とからなる一対の端子が収納される。また、端子収納室１３に対応するボディ１０の後壁には、図３に示すように、一対の電線挿入口１３ａ，１３ａが貫設され、一対の電線挿入口１３ａ，１３ａの近傍には１個の解除孔１３ｂが貫設される。鎖錠ばね１６は、弾性を有する導電性金属の帯板の両端部をそれぞれ曲成することにより、中央片１６ｃの両端部に鎖錠片１６ａと接触片１６ｂとをそれぞれ形成したものである。鎖錠片１６ａはＪ字状に曲成され、中央片１６ｃとの連結部位から先端に向かって中央片１６ｃとの距離を広げるように傾斜する。また、接触片１６ｂはＳ字状に曲成され、中央片１６ｃの厚み方向に弾性を有している。
【００３４】
一方、各端子板１５は、全体形状としてはコ字状であって、中央片の両端部に互いに対向する押え片１５ｂおよび当接片１５ｃを備える。鎖錠ばね１６の中央片１６ｃは平板状であり、端子板１５の当接片１５ｃに当接し、鎖錠片１６ａおよび接触片１６ｂを押え片１５ｂに対向させる。端子板１５および鎖錠ばね１６と電線挿入口１３ａとの位置関係は、電線挿入口１３ａから器体１に導入される電線が鎖錠ばね１６の鎖錠片１６ａおよび接触片１６ｂと端子板１５の押え片１５ｂとの間に挿入されるように設定されている。したがって、器体１に電線が挿入されると、鎖錠片１６ａおよび接触片１６ｂと端子板１５の押え片１５ｂとの間で電線が挟持され、鎖錠片１６ａの先端が電線の芯線に食い込んで抜け止めがなされるとともに、鎖錠片１６ａおよび接触片１６ｂによって電線の芯線と端子板１５との電気的接続がなされる。鎖錠ばね１６のばね力を利用して端子ねじを用いることなく電線を接続することができるこの種の構造の端子は速結端子と呼ばれている。速結端子において電線の機械的接続状態および電気的接続状態として所要の性能を得るには、電線挿入口１３ａへの電線の挿入量を一定にする必要がある。そこで、電線の絶縁被覆を剥ぐ量が一定であるか否かを簡単に確認することができるように、ボディ１０の後面にはゲージ溝１７（図２および図３参照）が形成されている。絶縁被覆を剥ぐときには電線の端部をゲージ溝１７に合わせて絶縁被覆を剥ぐ量を確認すればよい。
【００３５】
上述の解除釦は、熱硬化性樹脂（例えば、ユリア樹脂）を用いて形成され、後部を解除孔１３ｂに臨ませる形でボディ１０の端子収納室１３に収納される。解除釦の一部は鎖錠ばね１６の鎖錠片１６ａに接触可能であって、解除孔１３ｂを通してマイナスドライバのような工具の先端部で解除釦を押操作すれば、鎖錠片１６ａを端子板１５の押え片１５ｂから引き離して電線の保持力を弱め、この状態で電線を引き抜くことができる。ここに、解除釦は各端子板１５に対応する一対の鎖錠ばね１６に跨るように配置され、各端子板１５に対応する２個の鎖錠ばね１６の鎖錠片１６ａを同時に押すことができるようになっている。
【００３６】
また、回路収納室１４には、後述のチョークコイルＬや、トライアックＱ１などが実装された図１２に示す第１のプリント配線板４１が収納される。ボディ１０の左端部には、ボディ１０の短手方向の両側壁よりもボディ１０の後壁からの突出寸法がやや小さく仕切壁１２と同じ突出寸法に設定された支持壁１８ａがボディ１０の短手方向の両側壁に連続一体に形成され、ボディ１０の右端部には、ボディ１０の短手方向の両側壁よりもボディ１０の後壁からの突出寸法がやや小さく前縁が仕切壁１２の前縁と同一平面上に揃うように突出寸法が設定された支持壁１８ｂがボディ１０の周壁に沿って周壁に連続一体に形成されている。器体１内には、後述のマイクロスイッチＳＷ、可変抵抗ＶＲなどが前面に実装された図１３に示す第２のプリント配線板４２が収納されるが、第２のプリント配線板４２の外周形状は、ボディ１０の内周形状に沿った形状に形成されており、第２のプリント配線板４２は、ボディ１０の支持壁１８ａ．１８ｂおよび仕切壁１２により支持される。ここに、第２のプリント配線板４２は、図２に示すように複数本のリード線４５（図２では３本しか図示されていないが、実際には５本のリード線４５）により第１のプリント配線板４１と電気的に接続され、第１のプリント配線板４１とともに図１１に示すような回路ブロックを構成する。ここに、第２のプリント配線板４２には、上述の端子板１５の押え片１５ｂの前縁から延設された接続片１５ｄが半田付けされる。なお、図１１に示した回路ブロックでは、リード線４５、端子板１５、後述のサージアブソーバＺＮＲの図示を省略してある。
【００３７】
回路ブロックには、図１６に示すような回路が構成される。上述の一対の速結端子間には、例えば図１６中に一点鎖線で示すように、白熱灯などの照明負荷Ｌａと商用電源ＡＣとの直列回路が上述の電線によって接続される。
【００３８】
回路ブロックに構成される回路は、一対の速結端子間に、電源スイッチたるマイクロスイッチＳＷを介して電力制御素子としてのトライアックＱ１とノイズフィルタを構成するチョークコイルＬとの直列回路が挿入され、この直列回路にはチョークコイルＬとともにノイズフィルタを構成するコンデンサＣ１が並列接続される。マイクロスイッチＳＷには抵抗Ｒ２と発光ダイオードＬＥとの直列回路が接続され、発光ダイオードＬＥにはダイオードＤが逆並列に接続される。トライアックＱ１の導通角は、集積回路よりなる制御部３により制御される。ここに、制御部３は、６個の端子Ｐ１〜Ｐ６を有し、２個の端子Ｐ１，Ｐ３がそれぞれトライアックＱ１のＴ２端子，Ｔ１端子にそれぞれ接続され、１個の端子Ｐ３がトライアックＱ１のゲートにそれぞれ接続される。さらに、２個の端子Ｐ４，Ｐ５間に可変抵抗ＶＲが接続され、端子Ｐ５，Ｐ６間に抵抗Ｒ１が接続される。ここに、可変抵抗ＶＲは、スライダ端子が制御部３の端子Ｐ５に接続されるので、可変抵抗ＶＲを操作すると端子Ｐ５，Ｐ６間の電圧が変化する。制御部３は、端子Ｐ５，Ｐ６間の電圧値に応じてトライアックＱ１の導通角を変化させるので、可変抵抗ＶＲを操作するつまみ６０を操作することにより、照明負荷Ｌａの光出力を調節することができる。ここに、可変抵抗ＶＲと抵抗Ｒ１とで照明負荷Ｌａの光出力を設定する設定部を構成し、トライアックＱ１と制御部３とで照明負荷Ｌａの光出力を調節する調光回路を構成している。なお、上述の速結端子間には、サージ吸収素子としてのサージアブソーバＺＮＲが接続されている。
【００３９】
ところで、可変抵抗ＶＲは、回転式であって、操作軸５０には有底円筒状のつまみ６０（図１、図２および図１４参照）が嵌合される。つまみ６０は後端部に鍔片６２を有し、カバー２０の突台２３の前壁の略中央には、つまみ６０を露出させるための円形状の開口窓２６（図４、図６および図９参照）が貫設される。カバー２０の突台２３の前壁の後面には、開口窓２６の周部の全周に亘って操作摘子６０の鍔片６２を案内する案内溝２０ｂが形成されている。可変抵抗ＶＲの操作軸５０の先端面とつまみ６０の前壁の後面から後方に向かって突設されたリブ６４（図２参照）の後縁との間には鍔片６２の前面と案内溝２０ｂの底面との間に隙間が形成するのを防ぐ弾性材料よりなる隙間防止部材５１が挟持される。したがって、鍔片６２の前面と案内溝２０ｂの底面との間に隙間が形成されるのを防ぐことができるとともに、カバー２０に対するつまみ６０のがたつき防止することができる。
【００４０】
ここに、つまみ６０は、操作軸５０を回転させて照明負荷Ｌａの光出力をほぼ最小としたときに図１５に示すようにマイクロスイッチＳＷのレバー５３に当接してマイクロスイッチＳＷをオフにする逆Ｌ字状のオフ操作部６３が鍔片６２の後面から突設されている（図１４参照）。したがって、つまみ６０を操作して照明負荷Ｌａの光出力を調光し、調光量を小さくすればマイクロスイッチＳＷをオフにすることができ、１つのつまみ６０で可変抵抗ＶＲとマイクロスイッチＳＷとを連動して操作することができるのである。
【００４１】
カバー２０の突台２３の前面には、開口窓２６の周部に、つまみ６０の回転位置による照明負荷への供給電力やマイクロスイッチＳＷがオフされる位置などを示す表記がなされ、つまみ６０に形成した指示溝６１が図１（ａ）のイの表記を指している場合には、マイクロスイッチＳＷがオフしていることを示し（つまり、照明負荷Ｌａが消灯していることを示し）、指示溝６１が図１（ａ）のハの表記を指している場合には、照明負荷Ｌａの光出力がほぼ最大であることを示し、指示溝６１が図１（ａ）のロの位置を指している場合には、照明負荷Ｌａの光出力がほぼ最小であることを示す。したがって、照明負荷Ｌａの光出力の大小をつまみ６０の回転度合で視認することができる。
【００４２】
ところで、従来の調光器では、図３１（ｃ）に示すようにカバー２０’の突台２３’の後面に、つまみ６０’の回転範囲を規制するための回転範囲規制リブ２０ｄ’を突設し、図３２に示すようにつまみ６０’の鍔片６２’の前面にマイクロスイッチＳＷがオフとなる位置までつまみ６０’が操作されたときに回転範囲規制リブ２０ｄ’に当接する位置決めリブ６５’が突設されているが、マイクロスイッチＳＷがオフとなる位置までつまみ６０’を回転させてもわずかなクリック感しか得られないので、照明負荷を消灯させるためにつまみ６０’を回転させたつもりでも実際にはマイクロスイッチＳＷがオフしていないことがあった。
【００４３】
これに対し、本実施形態の調光器では、オフ操作部６３の前面には断面Ｕ字状の位置決め溝６３ａが形成され、カバー２０の突台２３の前壁の後面には、マイクロスイッチＳＷがオフとなる位置（つまり、つまみ６０の指示溝６１が図１（ａ）のイを指す位置）までつまみ６０が操作されたときに位置決め溝６３ａに係脱自在に係合する係合突起２７（図６および図９参照）が突設されている。したがって、マイクロスイッチＳＷがオフとなる位置までつまみ６０を操作したときには、係合突起２７と位置決め溝６３ａとが係合するから、クリック感を得ることができ、マイクロスイッチＳＷのオンオフを操作感触で識別可能となり、操作性が向上し、照明負荷Ｌａの消し忘れ（照明負荷Ｌａへ通電させた状態）を防止することができる。なお、突台２３の後面には、つまみ６０の回転範囲を規制するための回転規制リブ２８が突設されているので、つまみ６０が必要以上に回転するのを防ぐことができ、可変抵抗ＶＲに過負荷がかかるのを防止することができる。
【００４４】
ところで、カバー２０の突台２３には、カバー２０をボディ１０に結合したときに発光ダイオードＬＥに対応する部位に円形状の表示窓２９が貫設され、突台２３の後面には突台２３の周部に発光ダイオードＬＥを案内するためのガイド壁２９ａ（図２および図９参照）が後方に向かって突設される。
【００４５】
また、上述のトライアックＱ１は、アルミニウムよりなる放熱板３０が固着された状態で第１のプリント配線板４１に実装される。放熱板３０は、全体形状としては、Ｌ字状であって、第１のプリント配線板４１に立設されてボディ１０の短手方向の一方の側壁に対向しトライアックＱ１が固定ねじ３４を用いて固着される固定片３１と、回路収納室１４の周壁のうち回路収納室１４の後壁と端子収納室１３の後壁とを連結一体に連結する部位および仕切壁１２に沿って配設される放熱片３２とを備える。固定片３１は、第２のプリント配線板４２の短手方向の一側縁に形成した切欠部４２ａを通してカバー２０内まで延長される。要するに、固定片３１は、第２のプリント配線板４２とボディ１０の周壁との間に形成された隙間を通してカバー２０内まで延長される。
【００４６】
ところで、従来の調光器では、図２７に示すように、第２のプリント配線板４２’によってボディ１０’の回路収納室１４’の前面開口が覆われており、トライアックＱ１で発生した熱が回路収納室１４’にこもりやすいので、放熱性を向上させるためにボディ１０’の周壁にスリットを貫設したものが提案されている。しかしながら、ボディ１０’の周壁にスリットを貫設すると器体１内にごみや埃などが入り込んでしまうという不具合があった。また、従来より、１枚のプリント配線板に回路部品を全部実装したものも提案されているが、この場合にも放熱板はボディに収納され、ボディにスリットを貫設してある。
【００４７】
これに対して、本実施形態では、トライアックＱ１の発熱によりボディ１０の内部空間の温度が上昇すると、上記切欠部４２ａを通した空気対流が起こるから、ボディ１０にスリットを設けることなしに放熱効果を向上させることができ、第１のプリント配線板４１に実装される部品を密集して実装することが可能になる。
【００４８】
また、第２のプリント配線板４２と第１のプリント配線板４１とを器体１の前後方向に離間して配置してあり、トライアックＱ１のように発熱しやすい部品はボディ１０に収納される第１のプリント配線板４１に実装し、カバー２０に収納される第２のプリント配線板４２には比較的発熱の少ない部品しか実装していない。しかも、第２のプリント配線板４２は、複数本のリード線４５のうちの２本のリード線４５をそれぞれ第２のプリント配線板４２の前方へ通すための切欠部４２ｂが形成されている。さらに器体１内の放熱効果を高めるために第２のプリント配線板４２のうちボディ１０の回路収納室１４に対応する部位の左右方向の幅を第１のプリント配線板４１の左右方向の幅よりも小さく設定してあるので、第２のプリント配線板４１の左端縁とボディ１０の長手方向の側壁との間に隙間４７が形成される。したがって、器体１内部の空気対流により放熱効果が向上する。
【００４９】
また、回路収納室１４の周壁のうち回路収納室１４の後壁と端子収納室１３の後壁とを連結一体に連結する部位は、上記取付枠（金属製取付枠７０、合成樹脂製取付枠８０）に３個連設して使用される場合でも、図２０ないし図２２に示すように、隣りの調光器の器体１によって塞がれることがないので、回路収納室１４の周壁のうち回路収納室１４の後壁と端子収納室１３の後壁とを連結一体に連結する部位を通して効率良く放熱されるから、放熱性が向上する。
【００５０】
また、スイッチやコンセントなどの埋込型の配線器具と連設した場合にも、回路収納室１４の周壁のうち回路収納室１４の後壁と端子収納室１３の後壁とを連結一体に連結する部位を通して効率良く放熱される。図２３および図２４には、埋込型の配線器具であり前面にハンドル９０を備えたスイッチの器体１”と連設した例を示す。なお、図２３および図２４中の１０５は従来の調光器と同様の取付爪である。図２３および図２４に示したスイッチは、３路スイッチであって、スイッチの器体１”には、左右方向の両端部にそれぞれ速結端子が収納されており、後面における左側の電線挿入口１３ａ”，１３ａ”からそれぞれ挿入される電線は１個の端子板（以下、共通端子板と称す）に個別の鎖錠ばねにより接続される。また、後面における右側の電線挿入口１３ｃ”，１３ｃ”からそれぞれ挿入される電線はそれぞれ別の端子板に個別の鎖錠ばねにより接続される。このスイッチは、電線挿入口１３ｃ”，１３ｃ”から挿入される電線が接続される各端子板が、ハンドル９０の押操作毎に交互に共通端子板と電気的に接続されるような接点部が器体１”に収納されている。つまり、電線挿入口１３ａ”，１３ａ”に対応した２つの鎖錠ばね（図示せず）の一方を送り配線用の端子として用いることができる。なお、スイッチの器体１”の後面の適宜部位には、接点部の構成を示す表記５６が設けられている。
【００５１】
これに対して、本実施形態の調光器におけるボディ１０は、器体１の長手方向を左右方向として器体１を上下に関する正規の取り付け方向（マイクロスイッチＳＷがオフのときに表示溝６１が下側に位置し突台２３の前面の表記の上下が正常となる方向）で取付枠に取り付けたときにボディ１０の後面における左側の部位に上述の電線挿入口１３ａ，１３ａが設けられているので、送り配線がしやすくなるとともに、送り配線用の電線の長さを短くすることができ、取付枠を埋め込みボックスに取り付けたときに埋め込みボックス内に電線をすっきりと収めることができる。したがって、例えば図２５に示すようにスイッチＡと照明負荷Ｌａ’との直列回路に本実施形態の調光器Ｂと照明負荷Ｌａとの直列回路を並列接続するような場合の送り配線に用いる電線の長さを短くすることができる。
【００５２】
なお、可変抵抗ＶＲとしてはスライド式のものを用いてもよく、この場合にはカバー２０の前面にスライド溝を形成し、スライド溝を通して可変抵抗ＶＲの操作軸とつまみとを連結すればよい。このような構成にすれば、可変抵抗ＶＲとして回転式のものを用いた場合に比べて、照明負荷の光出力の大小（調光レベル）を感覚的に認識しやすくなる。
【００５３】
【発明の効果】
請求項１の発明は、ＪＩＳで規格化された大角形連用配線器具用の取付枠に取り付け可能な調光器であって、照明負荷の光出力を設定する設定部と、設定部の設定に応じて照明負荷の光出力を調節する調光回路と、少なくとも調光回路を構成する部品が収納された器体と、前記器体の前面から一部が露出し前記設定部を操作するつまみとを備え、前記器体の寸法は、前記取付枠の取付窓から器体の前面が露出する形で前記取付枠に最大３個まで連設して取り付けることができる単位寸法の配線器具の１個分に相当する寸法に形成され、前記器体は箱状であって、前面開口したボディとボディの前面側に結合される後面開口したカバーとからなり、カバーの短手方向の両側壁の後縁から後方に向かって延設した組立片に設けた組立孔とボディの短手方向の両側面に突設した組立突起との凹凸係合によりボディとカバーとが結合され、カバーには、前記取付枠に取り付けるための取付部が形成され、前記調光回路が交流電源と前記照明負荷との間に挿入される双方向性３端子サイリスタを備え、少なくとも前記双方向性３端子サイリスタが実装された第１のプリント配線板と、少なくとも前記設定部が実装された第２のプリント配線板とを備え、前記第２のプリント配線板と前記第１のプリント配線板とは前記器体内において前後方向に離間して配設され、前記第１のプリント配線板よりも前方に配設される前記第２のプリント配線板は、前後方向において前記第１のプリント配線板に重複する部位の一部に切欠部が形成され、前記双方向性３端子サイリスタは、前記第１のプリント配線板に立設されるとともに固定ねじにより放熱板が固着され、前記放熱板は、前記切欠部を通して前記カバーの内部空間まで延長されてなるものであり、コンセントやスイッチなどの埋込型の配線器具と同じ施工方法で施工することができ施工作業が容易になるとともに、コンセントやスイッチなどの埋込型の配線器具と連設することができ、また、ボディとカバーとを従来のような金属製の組立枠を用いずに簡単に結合することができるので、部品点数が削減され、組立作業の容易になるとともに低コスト化を図ることができるという効果がある。また、前記双方向性３端子サイリスタの発熱によりボディの内部空間の温度が上昇すると、前記ボディの内部空間と前記カバーの内部空間との間で前記切欠部を通した空気対流が起こるから、従来のようにボディにスリットを設けることなしに放熱効果を向上させることができるという効果がある。さらに、放熱板が切欠部を通してカバーの内部空間まで延長されているので、器体内の空気対流を促進することができ、放熱性をより向上させることができるという効果がある。
【００５４】
請求項２の発明は、請求項１の発明において、前記ボディの前縁と前記カバーの後縁との一方に逆組防止用凸部が突設され他方に逆組防止用凸部に合致する逆組防止用凹部が形成され、前記逆組防止用凸部および前記逆組防止用凹部それぞれは前記器体の長手方向を左右方向とするとき左右非対称に形成されているので、組立時にボディとカバーとの逆組を防止することができるという効果がある。
【００５５】
請求項３の発明は、請求項１または請求項２の発明において、前記調光回路は、交流電源と前記照明負荷との間に挿入される双方向性３端子サイリスタと、前記交流電源と前記照明負荷との直列回路と前記双方向性３端子サイリスタとの間に挿入される電源スイッチとを備え、前記つまみは、前記カバーの後面に摺接する鍔片と、該鍔片から突設され前記照明負荷への供給電力を最小にするように前記設定部を操作したときに電源スイッチをオフに操作するオフ操作部とを備え、前記オフ操作部の前面には、位置決め溝が形成され、カバーの後面側には、前記電源スイッチがオフとなる位置まで前記つまみが操作されたときに前記位置決め溝に係脱自在に係合する係合突起が突設されているので、前記つまみを操作することにより電源スイッチを連動させて操作することができ、一つのつまみで設定部と電源スイッチとの両方を操作することができ、操作が容易になり、しかも、電源スイッチがオフとなる位置までつまみを操作したときには、係合突起と位置決め溝とが係合するから、クリック感を得ることができ、照明負荷の消し忘れを防止することができるという効果がある。
【００５６】
請求項４の発明は、請求項１ないし請求項３の発明において、前記ボディの内部空間は、器体の長手方向において、一対の端子が収納される端子収納室と、前記調光回路の構成部品の一部が収納される回路収納室とに区画され、前記各端子は、ボディにおける回路収納室の後壁に設けた電線挿入口から挿入された電線が当接する端子板と、端子板との間に前記電線を保持する鎖錠ばねと、電線の引き抜き時に鎖錠ばねによる電線の保持力を弱めるための解除釦とからなり、前記ボディは、前記器体の長手方向を左右方向として前記器体を上下に関する正規の取り付け方向で前記取付枠に取り付けられたときに当該ボディの後面において左側となる部位に、前記電線挿入口が設けられているので、コンセントやスイッチなどの埋込型の配線器具と連設する場合に、これらの配線器具の器体では後面における左側の部位に送り端子用の電線挿入口が形成されていることが多いから、送り配線がしやすくなるとともに、送り配線用の電線の長さを短くすることができ、取付枠を埋め込みボックスに取り付けたときに埋め込みボックス内に電線をすっきりと収めることができるという効果がある。
【００５９】
請求項５の発明は、請求項１の発明において、前記ボディの内部空間は、器体の長手方向において、一対の端子が収納される端子収納室と、前記調光回路の構成部品の一部が収納される回路収納室とに区画され、前記回路収納室が前記端子収納室よりも深く形成され、前記放熱板の一部が、前記回路収納室の周壁のうち前記回路収納室の後壁と前記端子収納室の後壁とを連続一体に連結する部位に沿って配設されているので、コンセントやスイッチなどの埋込型の配線器具と連設した場合でも、前記回路収納室の周壁のうち前記回路収納室の後壁と前記端子収納室の後壁とを連続一体に連結する部位は連設された配線器具により塞がれることがないから、前記双方向性３端子サイリスタで発生した熱を当該部位を通して放熱させることができるという効果がある。
【００６０】
請求項６の発明は、請求項５の発明において、前記調光回路は交流電源と前記照明負荷との間に挿入される双方向性３端子サイリスタを備え、前記放熱板は、Ｌ字状に形成され、前記ボディの短手方向の一側壁に沿って配設され前記双方向性３端子サイリスタが固着される固定片と、前記回路収納室の周壁のうち前記回路収納室の後壁と前記端子収納室の後壁とを連続一体に連結する部位に沿って配設される放熱片とからなるので、放熱性が向上するという効果がある。
【図面の簡単な説明】
【図１】実施形態を示し、（ａ）は正面図、（ｂ）は平面図、（ｃ）は側面図である。
【図２】同上の断面図である。
【図３】同上の背面図である。
【図４】同上におけるカバーの正面図である。
【図５】同上におけるカバーの平面図である。
【図６】同上におけるカバーの断面図である。
【図７】同上におけるカバーの左側面図である。
【図８】同上におけるカバーの右側面図である。
【図９】同上におけるカバーの背面図である。
【図１０】同上におけるボディの下面図である。
【図１１】同上における回路ブロックを示し、（ａ）は平面図、（ｂ）は正面図、（ｃ）は側面図である。
【図１２】同上における第１のプリント配線板を示し、（ａ）は平面図、（ｂ）は正面図、（ｃ）は側面図である。
【図１３】同上における第２のプリント配線板を示し、（ａ）は平面図、（ｂ）は正面図、（ｃ）は側面図である。
【図１４】同上におけるつまみを示し、（ａ）は正面図、（ｂ）は側面図である。
【図１５】同上におけるつまみとマイクロスイッチとの位置関係の説明図である。
【図１６】同上の回路図である。
【図１７】同上の器体を取付可能な金属製取付枠の斜視図である。
【図１８】同上の器体を取付可能な合成樹脂製取付枠の斜視図である。
【図１９】同上の器体を取付可能な合成樹脂製取付枠の正面図である。
【図２０】同上の調光器を３個連設した場合の取付枠を省略した正面図である。
【図２１】同上の調光器を３個連設した場合の取付枠を省略した側面図である。
【図２２】同上の調光器を３個連設した場合の取付枠を省略した背面図である。
【図２３】同上の調光器をスイッチと連設した場合の取付枠を省略した正面図である。
【図２４】同上の調光器をスイッチと連設した場合の取付枠を省略した背面図である。
【図２５】同上の調光器とスイッチとを連設した場合の送り配線の説明図である。
【図２６】従来の調光器を示す正面図である。
【図２７】同上の断面図である。
【図２８】同上の側面図である。
【図２９】同上の後方から見た斜視図である。
【図３０】同上における組立枠を示し、（ａ）は正面図、（ｂ）は側面図、（ｃ）は下面図である。
【図３１】同上におけるボディを示し、（ａ）は正面図、（ｂ）は正面図、（ｃ）は側面図、（ｄ）は下面図である。
【図３２】同上におけるつまみを示し、（ａ）は正面図、（ｂ）は平面図、（ｃ）は側面図、（ｄ）は背面図である。
【符号の説明】
１  器体
１０  ボディ
１１  組立突起
１１ａ  誘導面
２０  カバー
２１  組立片
２１ａ  組立孔
２４  係止孔
２５  取付爪
６０  つまみ
【図１】
0003956585.tif 000002
【図２】
0003956585.tif 000003
【図３】
0003956585.tif 000004
【図４】
0003956585.tif 000005
【図５】
0003956585.tif 000006
【図６】
0003956585.tif 000007
【図７】
0003956585.tif 000008
【図８】
0003956585.tif 000009
【図９】
0003956585.tif 000010
【図１０】
0003956585.tif 000011
【図１１】
0003956585.tif 000012
【図１２】
0003956585.tif 000013
【図１３】
0003956585.tif 000014
【図１４】
0003956585.tif 000015
【図１５】
0003956585.tif 000016
【図１６】
0003956585.tif 000017
【図１７】
0003956585.tif 000018
【図１８】
0003956585.tif 000019
【図１９】
0003956585.tif 000020
【図２０】
0003956585.tif 000021
【図２１】
0003956585.tif 000022
【図２２】
0003956585.tif 000023
【図２３】
0003956585.tif 000024
【図２４】
0003956585.tif 000025
【図２５】
0003956585.tif 000026
【図２６】
0003956585.tif 000027
【図２７】
0003956585.tif 000028
【図２８】
0003956585.tif 000029
【図２９】
0003956585.tif 000030
【図３０】
0003956585.tif 000031
【図３１】
0003956585.tif 000032
【図３２】
0003956585.tif 000033